(57)【要約】【課題】  従来技術では、シリンダーによる押圧とか、又は角落しによる押込みによる一般的な構造であり、防水扉を、方立てに密着、かつ緊締に関して、十分とは考えられない。その他の文献技術において、偏芯カムの偏芯距離が異なることを利用し、順次、締付けを強化する。しかしながら、同時にパッキンを押圧する構造でなく、水密の効果が期待できないと考えられる。【解決手段】  本発明は、地下鉄、地下室の地下構造物、地上構造物の防水用として設置される防水扉であり、出入口の方立ての水圧対峙側に、反水圧対峙側に偏倚したカム面を有する偏芯カムを設け、偏芯カムは、防水扉の水圧対峙側に圧接し、同時に、防水扉の反水圧対峙側の水密弾性体を押圧し、防水扉本体の水圧対峙側に設けた一方の楔と、偏芯カムのカム面の他方の楔との間に楔緊締を図る。偏芯カム・水密弾性体により、防水扉を、方立てに密着、かつ緊締できる。【選択図】      図１
2016223149.tif 000002
【特許請求の範囲】
【請求項１】
地下鉄、地下室、車庫のように地下構造物か、又は工場、建屋の地上構造物の防水用として設置される防水扉の水密兼遮蔽、又は防盗装置において、
前記構造物の出入口に一対設けた方立ての水圧対峙側に、反水圧対峙側に偏倚したカム面を有する偏芯カムをそれぞれ設け、この各偏芯カムは、前記防水扉の水圧対峙側に、それぞれ圧接されるとともに、この圧接時に、前記防水扉の反水圧対峙側に一対設けた水密弾性体を押圧可能とし、かつ防水扉本体の水圧対峙側に設けた一方の楔と、前記偏芯カムのカム面の他方の楔との間に、楔緊締を可能とし、また、前記各方立てと、前記防水扉との隙間に緊締手段を設ける構成とした防水扉の水密兼遮蔽、又は防盗装置。
【請求項２】
前記偏芯カムは、各方立てに上下方向に、それぞれ一対設ける構成とした請求項１に記載の防水扉の水密兼遮蔽、又は防盗装置。
【請求項３】
前記偏芯カムのカム面は、偏芯カムの軸芯に対して、緊締方向に向かった可動側Ｘが、短く、反緊締方向に向かった従動側Ｘ１が、長い構成とした請求項１に記載の防水扉の水密兼遮蔽、又は防盗装置。
【請求項４】
前記偏芯カムのカム面には、前記他方の楔を形成する構成とした請求項１に記載の防水扉の水密兼遮蔽、又は防盗装置。
【請求項５】
前記緊締手段は、前記方立てに設けた鍵で、前記防水扉に向かって前進後退する鍵片と、防水扉の鍵孔とで構成し、この鍵片を、この鍵孔に係脱可能とする構成とした請求項１に記載の防水扉の水密兼遮蔽、又は防盗装置。
【発明の詳細な説明】
【技術分野】
【０００１】
本発明は、方立てと防水扉との間の水密兼遮蔽、又は防水扉の防盗を目的とする防水扉の水密兼遮蔽、又は防盗装置に関する。
【背景技術】
【０００２】
防水扉において、止水材（パッキン）を押圧して水密を図る手段として、防水扉の起立と併せて行う構造が知られている。例えば、特開２０１４−１１４６１９号公報に記載の「防水扉装置」がある。また、角落とし（防水扉）で、水圧を利用して水密を図る構造が知られている。例えば、特開平１１−１５８８５０号公報に記載の「角落し」がある。いずれにしても、補助的な方法であり、積極的に防水扉の水密を、本来の目的とする構造ではない。また、防水シートを、カム機構を利用して、水密に支持する構造がある。特開２０１４−１３６８８９号公報がある。偏芯カム部材でフレームを移動し、支持枠と弾性部材との間に防水シートを水密に保持する構造である。単に偏芯カムの偏倚距離（移動距離の相違）の移動での緊締である。
【０００３】
尚、他分野において、ロック機構として、特開２００４−１４２０８１号公報に記載の「旋回テーブルのロック装置」がある。この発明は、旋回テーブルをカム機構（偏芯した当接部材）で締付ける構造が開示されている。
【０００４】
【特許文献１】特開２０１４−１１４６１９号公報
【特許文献２】特開平１１−１５８８５０号公報
【特許文献３】特開２０１４−１３６８８９号公報
【特許文献４】特開２００４−１４２０８１号公報
【発明の概要】
【発明が解決しようとする課題】
【０００５】
従来技術は、シリンダーによる押圧とか、又は角落しによる押込みによる一般的な構造であり、目新しさは見えないと考えられる。尚、文献（３）は、偏芯カムの偏芯距離が異なることを利用し、順次、締付けを強化する。しかしながら、同時にパッキンを押圧する構造でなく、水密の効果が期待できないと考えられる。
【０００６】
上記に鑑み、本発明は、方立てに設けた偏芯カムにより、防水扉を、方立ての水密弾性体、又は方立ての対峙面に押圧する構造を提案する。また、水密弾性体と偏芯カムとを、同じ流れ方向（水圧方向Ｐ）の略線上に設置することで、水密弾性体に、均一な押圧力を付与できることと、防水扉への負担軽減が図れ、例えば、金属以外で防水扉を構成しても障害はないこと、等の特徴がある。
【課題を解決するための手段】
【０００７】
本発明は、請求項１〜請求項５を提案することで、方立てに設けた偏芯カムにより、防水扉を、方立ての水密弾性体、又は方立ての対峙面に押圧できる。また、水密弾性体と偏芯カムとを、同じ流れ方向（水圧方向Ｐ）の略線上に設置することで、水密弾性体に、均一な押圧力を付与できることで、例えば、負担軽減が図れること、又は金属以外で防水扉を構成しても障害はないこと、等の如く、実用性に道を開く発明である。
【発明の効果】
【０００８】
請求項１の発明は、地下鉄、地下室、車庫のように地下構造物か、又は工場、建屋の地上構造物の防水用として設置される防水扉の水密兼遮蔽、又は防盗装置において、
構造物の出入口に一対設けた方立ての水圧対峙側に、反水圧対峙側に偏倚したカム面を有する偏芯カムをそれぞれ設け、各偏芯カムは、防水扉の水圧対峙側に、それぞれ圧接されるとともに、圧接時に、防水扉の反水圧対峙側に一対設けた水密弾性体を押圧可能とし、かつ防水扉本体の水圧対峙側に設けた一方の楔と、偏芯カムのカム面の他方の楔との間に、楔緊締を可能とし、また、各方立てと、防水扉との隙間に緊締手段を設ける防水扉の水密兼遮蔽、又は防盗装置であり、方立てに設けた偏芯カムにより、防水扉を、方立ての水密弾性体、又は方立ての対峙面に押圧できる。また、水密弾性体と偏芯カムとを、同じ流れ方向（水圧方向Ｐ）の略線上に設置することで、水密弾性体に、均一な押圧力を付与できることで、例えば、負担軽減が図れること、又は金属以外で防水扉を構成しても障害はないこと、等の如く、実用性に道を開く発明である。
【０００９】
請求項２の発明は、偏芯カムは、各方立てに上下方向に、それぞれ一対設ける防水扉の水密兼遮蔽、又は防盗装置であり、請求項１の目的達成と、偏芯カムの最も効率的な設置位置を提案できる実益がある。
【００１０】
請求項３の発明は、偏芯カムのカム面は、偏芯カムの軸芯に対して、緊締方向に向かった可動側Ｘが、短く、反緊締方向に向かった従動側Ｘ１が、長い構成とした防水扉の水密兼遮蔽、又は防盗装置であり、請求項１の目的達成と、偏芯カムとして最も効率的な形状を提案できる実益がある。
【００１１】
請求項４の発明は、偏芯カムのカム面には、他方の楔を形成する構成とした防水扉の水密兼遮蔽、又は防盗装置であり、請求項１の目的達成と、偏芯カムの楔として役立つカム面と、これに対峙する楔の構造を提案できる実益がある。
【００１２】
請求項５の発明は、緊締手段は、方立てに設けた鍵で、防水扉に向かって前進後退する鍵片と、防水扉の鍵孔とで構成し、鍵片を、鍵孔に係脱可能とする防水扉の水密兼遮蔽、又は防盗装置であり、請求項１の目的達成と、緊締手段を提案できる実益がある。
【図面の簡単な説明】
【００１３】
【図１】本発明の防水扉の一部省略で、全体を示した縮尺俯瞰図
【図２】本発明の防水扉の一部省略で、全体を示した正面図
【図３】本発明の方立てと防水扉とを示すとともに、この両者に設けた偏芯カムと楔、並びに水密弾性体との関係を説明する平面拡大図
【図３−１】方立てと、可動軸、及び偏芯カムとの関係を示した模式断面図。
【図４】偏芯カムの各方向からの模式図であり、（イ）は平面図、（ロ）は底面図、（ハ）は正面図、（ニ）は背面図、（ホ）は右側面図、（へ）は左側面図、（ト）は斜視図を示す
【図５】防盗装置で、鍵で出入りする爪と爪受けとの関係を示した俯瞰図
【図６】図５の一部を断面視した側面図
【発明を実施するための形態】
【００１４】
図中１、１’は対の方立てであり（対の構造は、一方の符号と同説明とする）、地下室、地下駐車場、地下鉄等の地下建物とか工場等の構造物（構築物）の通路、又は水路、又は河川の両端に立設されている（地下建物、工場等の構造物は、建物Ｈとする）。方立て１はコ字形であり、左右が対峙形状であって、この対峙方向において開口１００する構造であり、通常では、建物Ｈの通路壁に立設されている。この方立て１の水圧対峙側Ｙには、回転軸２が立設されており、かつ後述する一組、対の偏芯カム３が収容されるスペース１０１、１０２が形成されている。尚、偏芯カム３は、スペース１０１、１０２内に陥没する構造であり、防水扉本体５を、方立て１の開口１００に挿入時に邪魔とならない構造となっている。
【００１５】
偏芯カム３は、図４において詳細が図示されており、かつ図３において可動とその働きが示されている。この偏芯カム３は、対の回転軸２、２’の上下にそれぞれ固止されており（四枚の偏芯カム３）、かつ平面視して、緊締方向Ｚに向かった可動側Ｘが短く、反緊締方向Ｚ１に向かった従動側Ｘ１が長い構成としたことで、図３の破線状態から、実線状態に回転する。この回転で、カム面３ａの楔３００（逆袈裟切り形状）と、防水扉本体５の楔５００（袈裟切り形状）とが圧接状態となって、防水扉本体５を下（床面か、地上等の設置箇所）に押圧する（床面等との水密が図れる）。即ち、カム面３ａの上下方向の形状は、側面視して逆袈裟切り形状の楔３００となっており、この逆袈裟切り形状の楔３００が、緊締方向Ｚに向かって回転しながら、防水扉本体５の水圧対峙側Ｙに設けた袈裟切り形状の楔５００を、順次、押下げていく構造である。従って、無理なく、かつスムーズに、この防水扉本体５を下に押下げ得る特徴がある。また、偏芯カム３の円周方向の形状は、図示の如く、可動側Ｘの長さ（偏芯カム３の枢着から先端までの距離）に対して、従動側Ｘ１の長さ（偏芯カム３の枢着から先端までの距離）が、長いことから（距離が大きい）、カム面３ａがいびつとなっており（結果として偏芯関係）、前述の如く、回転軸２が回転することで、順次、カム面３ａの楔３００が、防水扉本体５の楔５００（防水扉本体５自身）を、反水圧対峙側Ｙ１に押圧する構造である。そして、この防水扉本体５の反水圧対峙側Ｙ１への押圧により、防水扉本体５の反水圧対峙側Ｙ１の上下端１ａ・１ｂ、及び開口１００の反水圧対峙側Ｙ１の底面１００ａに亙って（防水扉本体５の反水圧対峙側Ｙ１）設けた水密弾性体６を（水密ゴム、パッキン等）を押圧する。尚、偏芯カム３の緊締解除と水密弾性体６の開放は、前述の逆の操作で達せられることと、その後、防水扉本体５（防水扉）の方立て１からの脱抜は、前述の操作の逆である。
【００１６】
以上の如く、防水扉本体５（防水扉）の下端の床面等との水密、及び防水扉本体５（防水扉）の反水圧対峙側Ｙ１と方立て１との水密（水密弾性体６の押圧による水密）とにより、各種の通路とか水路、或いは壁、門等の空間の水密が図れる。
【００１７】
尚、回転軸２は、方立て１内に立設するが、一例であり限定されない。従って、方立て１外に立設することも有り得る。
【００１８】
また、図中１０は防盗装置の一例であり、防水扉本体５の筐体１１に出没自在に設けた鍵片１２と、この鍵片１２を受入れる防水扉本体５に設けるか、又は防水扉本体５に付帯した鍵孔１３と、鍵片１２を操作する鍵１５（スイッチ）とを主構成とする。この防盗装置１０は、偏芯カム３が作動し、防水扉本体５が方立て１内に緊締された状態で、操作される。従って、例えば、防水扉本体５等の防盗に有益であり、かつ大雨時の脱抜防止に有効に作用する。尚、鍵１５による鍵片１２の出没構造は任意である。
【００１９】
前述した各構造は、本発明の好ましい一例の説明である。従って、本発明は上述した各実施例に限定されるものではなく、発明の趣旨の範囲において構成の一部を変更する構造とか、同じ特徴と効果を達成できる構造、等は、本発明の範疇である。
【符号の説明】
【００２０】
１、１’  方立て
１ａ  上端
１ｂ  下端
１００  開口
１００ａ  底面
１０１  スペース
１０２  スペース
２、２’  回転軸
３  偏芯カム
３ａ  カム面
３００  楔
５  防水扉本体
５００  楔
６  水密弾性体
１０  防盗装置
１１  筐体
１２  鍵片
１３  鍵孔
１５  鍵
Ｈ  建物
Ｐ  水圧方向
Ｘ  可動側
Ｘ１  従動側
Ｙ  水圧対峙側
Ｙ１  反水圧対峙側
Ｚ  緊締方向
Ｚ１  反緊締方向
【図１】
2016223149.tif 000003
【図２】
2016223149.tif 000004
【図３】
2016223149.tif 000005
【図３−１】
2016223149.tif 000006
【図４】
2016223149.tif 000007
【図５】
2016223149.tif 000008
【図６】
2016223149.tif 000009